(57)【要約】【課題】暗証情報の入力を受け付ける状態において、ＵＳＳＤなどの制御コマンドを受け付けた場合には、ユーザが入力した制御コマンドを視認可能とする。【解決手段】制御部１００は、電源投入時に、カードＩ／Ｆ５０に装着されるＳＩＭカード５１の情報に基づいて、ユーザに暗証コードの入力を要求し、これに対してユーザが入力する暗証コードが正当なものの場合に、ユーザに対して利用を許可し、運用が可能な状態とする。また制御部１００は、操作部４０を通じて入力される暗証コードについては、表示部３０に伏せ字で表示し、制御コマンドについては視認可能に表示するようにしたものである。【選択図】図１
2006318391.tif 000002
【特許請求の範囲】
【請求項１】
少なくともテキスト情報が表示可能な表示手段と、
文字の入力を受け付ける入力手段と、
この入力手段が受け付けた文字を異なる文字で前記表示手段に表示するものであって、前記入力手段が予め設定した文字が入力された場合には、前記入力手段が受け付ける文字を前記表示手段に表示する表示制御手段とを具備することを特徴とする移動無線端末装置。
【請求項２】
少なくともテキスト情報が表示可能な表示手段と、
文字の入力を受け付ける入力手段と、
この入力手段が受け付けた文字を異なる文字で前記表示手段に表示するものであって、前記入力手段が制御コマンドを示す所定の文字が入力された場合には、前記入力手段が受け付ける文字を前記表示手段に表示する表示制御手段と、
前記入力手段が受け付けた文字列に対応する制御コマンドを実行する制御手段とを具備することを特徴とする移動無線端末装置。
【請求項３】
少なくともテキスト情報が表示可能な表示手段と、
文字の入力を受け付ける入力手段と、
暗証コードの入力を受け付ける場合に、前記入力手段が受け付けた文字を異なる文字で前記表示手段に表示するものであって、前記入力手段が予め設定した文字が入力された場合には、前記入力手段が受け付ける文字を前記表示手段に表示する表示制御手段とを具備することを特徴とする移動無線端末装置。
【請求項４】
少なくともテキスト情報が表示可能な表示手段と、
文字の入力を受け付ける入力手段と、
暗証コードの入力を受け付ける場合に、前記入力手段が受け付けた文字を異なる文字で前記表示手段に表示するものであって、前記入力手段が制御コマンドを示す所定の文字が入力された場合には、前記入力手段が受け付ける文字を前記表示手段に表示する表示制御手段と、
前記入力手段が受け付けた文字列に対応する制御コマンドを実行する制御手段とを具備することを特徴とする移動無線端末装置。
【請求項５】
さらに、前記暗証コードの入力を受け付けた場合、予め定められた暗証コードを記憶する記録媒体へ入力された暗証コードを送信し、該記録媒体による入力された暗証コードと、予め定められた暗証コードとの認証が成功した後に、当該移動無線端末装置をネットワークに接続を可能とする通信制御手段を備えることを特徴とする請求項３または請求項４に記載の移動無線端末装置。
【発明の詳細な説明】
【技術分野】
【０００１】
この発明は、例えばＰＩＮコードなどの秘匿が求められる情報を入力する際に、伏せ字表示を行う移動無線端末装置に関する。
【背景技術】
【０００２】
周知のように、従来の移動無線端末装置は、ＰＩＮコードなどの暗証情報を入力する際に、入力された文字を伏せ字で表示することで、周囲から表示部をのぞき見られても暗証情報の漏洩を防ぐことができる。
【０００３】
ところで近時、移動無線端末装置が暗証情報の入力を受け付ける状態において、暗証情報の入力を受け付ける際には、入力された番号をそのまま表示するのではなく、伏せ字で表示されるようになっている（例えば、特許文献１参照）。
【特許文献１】特開２００４−０３８４０３公報。
【発明の開示】
【発明が解決しようとする課題】
【０００４】
従来の移動無線端末装置では、暗証情報の入力を受け付ける状態において、暗証情報の入力を受け付ける他に、ＵＳＳＤ（Unstructured Supplementary Service Data）などの端末を制御するコマンドの入力を受け付けるようにした場合、暗証情報の漏洩防止を重視し、双方を伏せ字で表示されることが考えられるが、このような表示処理を行う場合、ユーザは入力した情報を認識できないため、利便性が低いという問題があった。
【０００５】
この発明は上記の問題を解決すべくなされたもので、暗証情報の入力を受け付ける状態において、暗証情報以外の情報を入力した場合に、ユーザが入力した情報を認識できる移動無線端末装置を提供することを目的とする。
【課題を解決するための手段】
【０００６】
上記の目的を達成するために、この発明は、少なくともテキスト情報が表示可能な表示手段と、文字の入力を受け付ける入力手段と、この入力手段が受け付けた文字を異なる文字で表示手段に表示するものであって、入力手段が予め設定した文字が入力された場合には、入力手段が受け付ける文字を表示手段に表示する表示制御手段とを具備して構成するようにした。
【発明の効果】
【０００７】
この発明によれば、暗証情報の入力を受け付ける状態において、暗証情報以外の情報を入力した場合に、ユーザが入力した情報を認識可能な移動無線端末装置を提供できる。
【発明を実施するための最良の形態】
【０００８】
以下、図面を参照して、この発明の一実施形態について説明する。  
図１は、この発明の一実施形態に係わる移動無線端末装置の構成を示すものである。この移動無線端末装置は、アンテナ１と、通信部１０と、音声処理部２０と、表示部３０と、操作部４０と、カードインターフェース（Ｉ／Ｆ）５０と、記憶部６０と、制御部１００とを備えている。
【０００９】
アンテナ１は、ネットワークに接続される無線基地局（図示しない）から送信される無線信号の受信や、当該移動無線端末装置からの上記無線基地局に宛てた無線信号の送信を行うものである。
【００１０】
通信部１０は、アンテナ１を通じて上記無線基地局と無線通信し、この無線基地局および上記ネットワークを通じて通信相手局と通信するものである。具体的には、通信部１０は、アンテナ１が受信した無線信号をダウンコンバートして復調し、通信相手局から送信された符号化音声データを得て、これを制御部１００を通じて音声処理部２０に出力する。また通信部１０は、制御部１００を通じて音声処理部２０から与えられる符号化音声データを用いてベースバンド信号を変調し、これをアップコンバートして無線信号を生成し、アンテナ１を通じて上記無線基地局に宛てて送信する。
【００１１】
音声処理部２０は、通信部１０にて復調された符号化音声データを復号して音声信号を再生し、これを内蔵するスピーカ２１から拡声出力する。これにより、通話相手局からの送話音声がユーザに伝達される。また音声処理部２０は、内蔵するマイクロホン２２から入力された音声信号を符号化して符号化音声データを生成し、これを制御部１００を通じて通信部１０に与える。
【００１２】
表示部３０は、ＬＣＤ（Liquid Crystal Display）などを用いた表示装置であって、テキストや画像など種々の視覚的な情報をユーザに映示するものである。操作部４０は、複数のキースイッチなどを備え、ユーザの要求を受け付けるものである。
【００１３】
カードＩ／Ｆ５０は、ＳＩＭ（Subscriber Identity Module）カード５１を装着するためのインターフェースであって、制御部１００の指示に従って、ＳＩＭカード５１にアクセスして情報をやり取りするものである。
【００１４】
ＳＩＭカード５１は、加入者ＩＤ、ＰＩＮ（Personal Identification Number）コードやＰＵＫ（Personal Unblocking Key）コードなどの暗証コード、短縮ダイヤルなどの電話帳データなどが記憶され、内蔵するＣＰＵが上記カードＩ／Ｆ５０を通じた外部からの情報に応じて、所定の処理を実行する。  
記憶部６０は、制御部１００の制御プログラムや制御データ、電話番号、名称および顔写真などの画像データを対応づけた電話帳データを記憶する。
【００１５】
制御部１００は、当該移動無線端末装置の各部を統括して制御するものである。例えば、制御部１００は、通信部１０が無線基地局から着信信号を受信した場合に、表示部３０を制御して、着信の発生を報知するとともに、操作部４０を通じたユーザの応答操作により、上記着信に応答する信号を通信部１０に送信させ、音声通信リンクを確立する着信制御機能を備える。
【００１６】
また制御部１００は、操作部４０を通じたユーザの発信要求に応じて、通信部１０を制御して、ユーザが指定する電話番号への発信を行う発信制御機能や、この発信に伴って音声通信リンクを確立する通信制御機能を備える。
【００１７】
更に制御部１００は、カードＩ／Ｆ５０を通じてＳＩＭカード５１の情報にアクセスすることができる。ただし、ＰＩＮコードなどの暗証コードによって保護されている領域の情報（ＳＩＭカード５１に記憶されているほとんどの情報は暗証コードによって保護されている）のアクセスについては、電源投入の度にユーザから入力されたコードをＳＩＭカード５１へ送信し、入力されたコードとＳＩＭカード５１内の暗証コードとをＳＩＭカード５１内のＣＰＵが比較し、正当なものであると判断した場合に、初めてアクセスできるようになる。
【００１８】
次に、上記構成の移動無線端末装置の動作について説明する。なお、以下の説明では、無線基地局との間に通信リンクを確立する手順や、音声通信を実現するための制御、電話帳データの登録や呼出、編集などの説明は省略し、電源投入時の動作について説明する。
【００１９】
図２は、電源投入時の動作を説明するフローチャートであって、この処理は制御部１００によってなされる。このフローチャートに示す制御を実現するための制御プログラムは、記憶部６０に記録される。この処理は、電源が投入されると開始される。
【００２０】
まず、ステップ２ａにおいて制御部１００は、カードＩ／Ｆ５０を制御して、ＳＩＭカード５１がカードＩ／Ｆ５０に装着されているか否かを判断する。ここで、ＳＩＭカード５１がカードＩ／Ｆ５０に装着されている場合には、ステップ２ｂに移行し、一方、装着されていない場合には、ステップ２ｕに移行する。
【００２１】
ステップ２ｂにおいて制御部１００は、カードＩ／Ｆ５０を通じて、ＳＩＭカード５１に対してステータス情報を要求する。これに対して、ＳＩＭカード５１では、内蔵するＣＰＵが、自己の設定状態をチェックし、ステータス応答として、ＰＵＫがロック中か否かの情報、ＰＩＮが設定されているか否か（ＰＩＮが有効となっているか否か）の情報、およびＰＩＮがロック中か否かの情報などの情報を、カードＩ／Ｆ５０を通じて制御部１００に送信する。制御部１００は、上記ステータス応答を受信すると、ステップ２ｃに移行する。
【００２２】
ステップ２ｃにおいて制御部１００は、ステップ２ｂで受信したステータス応答に基づいて、ＰＵＫがロック中であるか否かを判定する。ここで、ＰＵＫがロック中の場合には、ステップ２ｕに移行し、一方、ＰＵＫが非ロック中の場合には、ステップ２ｄに移行する。
【００２３】
ステップ２ｄにおいて制御部１００は、ステップ２ｂで受信したステータス応答に基づいて、ＰＩＮがロック中であるか否かを判定する。ここで、ＰＩＮがロック中の場合には、ステップ２ｍに移行し、一方、ＰＩＮが非ロック中の場合には、ステップ２ｅに移行する。
【００２４】
ステップ２ｅにおいて制御部１００は、ステップ２ｂで受信したステータス応答に基づいて、ＰＩＮが設定されているか否か（有効であるか否か）を判定する。ここで、ＰＩＮが設定されている場合には、ステップ２ｈに移行し、一方、ＰＩＮが設定されていない場合には、ステップ２ｆに移行する。
【００２５】
ステップ２ｆにおいて制御部１００は、カードＩ／Ｆ５０を通じて、ＳＩＭカード５１から加入者ＩＤなどの識別情報を読み出し、ステップ２ｇに移行する。  
ステップ２ｇにおいて制御部１００は、記憶部６０から待受画像のデータを読み出し、表示部３０を制御して上記待受画像を表示する。また制御部１００は、通信部１０を制御して、ステップ２ｆで読み出した識別情報を送信してシステムに認証を受け、ネットワークに接続する。これにより当該移動無線端末装置は、発着信が可能な状態となり、当該処理を終了する。
【００２６】
一方、ステップ２ｈにおいて制御部１００は、操作部４０を通じてユーザからＰＩＮコードの入力を受け付け、ステップ２ｉに移行する。なお、ここでの入力処理は、後述するサブルーチンプログラムが実行されることによりなされる。
【００２７】
ステップ２ｉにおいて制御部１００は、ステップ２ｅで入力されたＰＩＮコードの情報をカードＩ／Ｆ５０を通じて、ＳＩＭカード５１に送り、ＳＩＭカード５１にＰＩＮコードの認証を行わせる。これに対してＳＩＭカード５１のＣＰＵは、ＳＩＭカード５１に記憶されているＰＩＮコードと、カードＩ／Ｆ５０を通じて入力されたＰＩＮコードが一致するか否かを判定する。
【００２８】
そして、この判定の結果、両コードが一致して認証が成功した場合に上記ＣＰＵは、認証結果として、制御部１００に対して認証が成功である旨を示す情報を送信する。一方、両コードが一致せず認証が失敗した場合に上記ＣＰＵは、この時点でＳＩＭカード５１が記憶する残り連続失敗可能回数ｍから「１」を減算し、残り連続失敗可能回数ｍを更新する。なお、以下の説明では、残り連続失敗可能回数ｍの初期値を「３」とし、３回までＰＩＮ認証が失敗できるものとして説明する。
【００２９】
この結果、残り連続失敗可能回数ｍが「０」の場合には、上記ＣＰＵは、ＰＩＮをロックした設定を示す情報をＳＩＭカード５１内に記録するとともに、認証結果として、制御部１００に対してＰＩＮ認証が失敗である旨を示す情報と、ＰＩＮをロックした旨を示す情報を送信する。
【００３０】
一方、残り連続失敗可能回数ｍが「０」でない場合には、上記ＣＰＵは、認証結果として、制御部１００に対してＰＩＮ認証が失敗である旨を示す情報と、残り連続失敗可能回数ｍを示す情報を送信する。なお、制御部１００は、上記ＣＰＵから認証結果を受信すると、ステップ２ｊに移行する。
【００３１】
ステップ２ｊにおいて制御部１００は、ステップ２ｉでＳＩＭカード５１のＣＰＵから受信した認証結果に基づいて、ＰＩＮ認証が失敗したか否かを判定する。ここで、受信した認証結果が認証成功を示す場合には、ステップ２ｆに移行し、一方、認証失敗を示す場合には、ステップ２ｋに移行する。
【００３２】
ステップ２ｋにおいて制御部１００は、ステップ２ｉにてＳＩＭカード５１のＣＰＵから受信した認証結果に基づいて、ＰＩＮ認証が３回失敗したか否かを判定する。ここで、ステップ２ｉにて、ＰＩＮをロックした旨を示す情報を受信した場合には、ＰＩＮ認証が３回連続失敗したものと判定して、ステップ２ｈに移行し、一方、残り連続失敗可能回数ｍを受信した場合には、まだ３回連続でＰＩＮ認証を失敗していないものと判定し、ステップ２ｈに移行する。
【００３３】
ステップ２ｌにおいて制御部１００は、表示部３０を制御して、ＰＩＮがロック中であることを示す表示を行い、ステップ２ｍに移行する。  
一方、ステップ２ｍにおいて制御部１００は、操作部４０を通じてユーザからＰＵＫコードの入力を受け付け、ステップ２ｎに移行する。なお、ここでの入力処理は、後述するサブルーチンプログラムが実行されることによりなされる。
【００３４】
ステップ２ｎにおいて制御部１００は、操作部４０を通じてユーザから新しく設定するＰＩＮコードの入力を受け付け、ステップ２ｏに移行する。なお、ここでの入力処理は、後述するサブルーチンプログラムが実行されることによりなされる。
【００３５】
ステップ２ｏにおいて制御部１００は、操作部４０を通じてユーザから、ステップ２ｎで受け付けたＰＩＮコードを確認するためのＰＩＮコードの入力を受け付け、ステップ２ｐに移行する。なお、ここでの入力処理は、後述するサブルーチンプログラムが実行されることによりなされる。
【００３６】
ステップ２ｐにおいて制御部１００は、ステップ２ｎで受け付けたＰＩＮコードと、ステップ２ｏで受け付けたＰＩＮコードが一致するか否かを判定する。ここで、両者が一致する場合には、ステップ２ｑに移行する。一方、両者が一致しない場合には、ＰＩＮコードの再入力を行うために、ステップ２ｎに移行する。
【００３７】
ステップ２ｑにおいて、ステップ２ｍで入力されたＰＵＫコードの情報と、ステップ２ｎで入力された新しいＰＩＮコードの情報とをカードＩ／Ｆ５０を通じてＳＩＭカード５１に送り、入力されたＰＵＫコード認証を行わせる。
【００３８】
これに対してＳＩＭカード５１のＣＰＵは、ＳＩＭカード５１に記憶されているＰＵＫコードと、カードＩ／Ｆ５０を通じて入力されたＰＵＫコードが一致するか否かを判定する。
【００３９】
そして、この判定の結果、両コードが一致してＰＵＫ認証が成功した場合に上記ＣＰＵは、入力された新しいＰＩＮコードを新ＰＩＮコードとしてＳＩＭカード５１内に記録するとともに、認証結果として、制御部１００に対してＰＵＫ認証が成功である旨を示す情報を送信する。
【００４０】
一方、両コードが一致せずＰＵＫ認証が失敗した場合に上記ＣＰＵは、この時点でＳＩＭカード５１が記憶する残り連続失敗可能回数ｎから「１」を減算し、残り連続失敗可能回数ｎを更新する。なお、以下の説明では、残り連続失敗可能回数ｎの初期値を「１０」とし、１０回までＰＵＫ認証が失敗できるものとして説明する。
【００４１】
この結果、残り連続失敗可能回数ｎが「０」の場合には、上記ＣＰＵは、ＰＵＫをロックした設定を示す情報をＳＩＭカード５１内に記録するとともに、認証結果として、制御部１００に対してＰＵＫ認証が失敗である旨を示す情報と、ＰＵＫをロックした旨を示す情報を送信する。
【００４２】
一方、残り連続失敗可能回数ｎが「０」でない場合には、上記ＣＰＵは、認証結果として、制御部１００に対してＰＵＫ認証が失敗である旨を示す情報と、残り連続失敗可能回数ｎを示す情報を送信する。なお、制御部１００は、上記ＣＰＵから認証結果を受信すると、ステップ２ｒに移行する。
【００４３】
ステップ２ｒにおいて制御部１００は、ステップ２ｑでＳＩＭカード５１のＣＰＵから受信した認証結果に基づいて、ＰＩＮ認証が失敗したか否かを判定する。ここで、受信した認証結果が認証成功を示す場合には、ステップ２ｆに移行し、一方、認証失敗を示す場合には、ステップ２ｓに移行する。
【００４４】
ステップ２ｓにおいて制御部１００は、ステップ２ｑにてＳＩＭカード５１のＣＰＵから受信した認証結果に基づいて、ＰＵＫ認証が１０回失敗したか否かを判定する。ここで、ステップ２ｑにて、ＰＵＫをロックした旨を示す情報を受信した場合には、ＰＵＫ認証が１０回連続失敗したものと判定して、ステップ２ｔに移行し、一方、残り連続失敗可能回数ｎを受信した場合には、まだ１０回連続でＰＵＫ認証を失敗していないものと判定し、ステップ２ｍに移行する。
【００４５】
ステップ２ｔにおいて制御部１００は、表示部３０を制御して、ＰＵＫがロック中であり、通信事業者に問い合わせることを勧める表示を行い、当該処理を終了する。  
ステップ２ｕにおいて制御部１００は、ステップ２ａから移行してきた場合には、表示部３０を制御して、ＳＩＭカード５１が非装着である旨の警告表示を行う。またステップ２ｃから移行してきた場合には、表示部３０を制御して、ＰＵＫがロック中である旨を示す警告表示を行う。警告表示を行うと、制御部１００は当該処理を終了する。
【００４６】
なお、ステップ２ｃ、２ｄ、２ｅ内、ステップ２ｊ、２ｋ内、およびステップ２ｒ、２ｓ内の遷移は、上記フローに限定されるものではなく、遷移の結果が同じであればどのようなプログラムで制御してもよい。
【００４７】
次に、ステップ２ｈ、２ｍ、２ｎおよび２ｏにおける入力処理について説明する。この処理は、記憶部６０に記憶されるサブルーチンプログラムにしたがって制御部１００によってなされる。図３に、上記入力処理のフローチャートを示す。
【００４８】
まず、ステップ３ａにおいて制御部１００は、表示部３０を制御して、暗証コードの入力を促す表示を行うとともに、操作部４０を通じて、１文字目のキー入力を受け付け、ステップ３ｂに移行する。なお、ここで操作されたキーに対応する文字データは、記憶部６０の入力バッファに蓄積される。
【００４９】
ステップ３ｂにおいて制御部１００は、ステップ３ａで操作されたキーが「＊」キーか否かを判定する。ここで、「＊」キーが操作されたものと判定した場合には、ステップ３ｃに移行し、一方、「＊」キー以外のキーが操作されたものと判定した場合には、ステップ３ｍに移行する。なお、「＊」は、ＵＳＳＤ（Unstructured Supplementary Services Data）コマンドを入力する際に、入力する文字である。
【００５０】
ステップ３ｃにおいて制御部１００は、表示部３０を制御して、コマンド入力を行うための表示制御を開始し、ステップ３ｄに移行する。なお、この表示制御では、入力される文字が表示される。
【００５１】
ステップ３ｄにおいて制御部１００は、操作部４０を通じてキー入力を受け付け、ステップ３ｅに移行する。なお、ここで操作されたキーに対応する文字データは、記憶部６０の入力バッファに順次蓄積される。
【００５２】
ステップ３ｅにおいて制御部１００は、ステップ３ｄで操作されたキーが「＊」、「＃」あるいは「０」〜「９」のいずれかに対応するキーであるか否かを判定する。ここで、「＊」、「＃」あるいは「０」〜「９」のいずれかに対応するキーが操作されたものと判定した場合には、ステップ３ｉに移行し、一方、上記以外のキーが操作されたものと判定した場合には、ステップ３ｆに移行する。
【００５３】
ステップ３ｆにおいて制御部１００は、ステップ３ｄで操作されたキーが「クリア」に対応するキーであるか否かを判定する。ここで、「クリア」に対応するキーが操作されたものと判定した場合には、ステップ３ｇに移行する。一方、上記「クリア」以外のキーが操作されたものと判定した場合には、ステップ３ｄに移行し、再入力を受け付ける。
【００５４】
ステップ３ｇにおいて制御部１００は、記憶部６０の入力バッファに蓄積される文字データのうち、最後に入力された文字データを削除し、ステップ３ｈに移行する。また制御部１００は、記憶部６０の入力バッファに蓄積される文字データに基づいて、文字の表示を表示部３０に行うため、表示部３０では、最後に表示された文字が消去されることになる。
【００５５】
ステップ３ｈにおいて制御部１００は、記憶部６０の入力バッファに蓄積される文字データがない、すなわち表示すべき文字がないか否かを判定する。ここで、表示すべき文字がない場合には、ステップ３ａに移行する。一方、表示すべき文字がある、すなわち記憶部６０の入力バッファに蓄積される文字データがある場合には、ステップ３ｄに移行して、文字入力の受付を継続する。
【００５６】
ステップ３ｉにおいて制御部１００は、記憶部６０の入力バッファに蓄積される文字データに基づいて、文字の表示を表示部３０に行い、ステップ３ｊに移行する。なお、このステップ３ｉにおいて、記憶部６０の入力バッファに蓄積される文字データに基づいて、文字の表示を表示部３０に行い、入力が「＃」であれば、ＵＳＳＤコマンドの入力が完了された可能性があるとして、ステップ３ｊに移行し、一方、入力が「＊」、「０」〜「９」キーであればＵＳＳＤコマンドの入力が完了された可能性がないとして、ステップ３ｄへ移行するように制御してもよい。  
ステップ３ｊにおいて制御部１００は、記憶部６０の入力バッファに蓄積される文字データが形成する文字列が、ＵＳＳＤコマンドの形態を成しているか否かを判定する。ここで、ＵＳＳＤコマンドの形態を成していると判定した場合には、ステップ３ｋに移行し、一方、ＵＳＳＤコマンドの形態を成していないと判定した場合には、ステップ３ｄに移行する。
【００５７】
ステップ３ｋにおいて制御部１００は、記憶部６０の入力バッファに蓄積される文字データが形成する文字列に対応するＵＳＳＤコマンドを実行し、ステップ３ｌに移行する。  ステップ３ｌにおいて制御部１００は、ステップ３ｋでＵＳＳＤコマンドを実行したことにより、ユーザ認証が完了したか否かを判定する。ここで、ユーザ認証が完了したと判定した場合には、ステップ２ｉに移行し、一方、ユーザ認証が完了していないと判定した場合には、ステップ３ａに移行する。
【００５８】
ステップ３ｍにおいて制御部１００は、ステップ３ｂで操作されたキーが「０」〜「９」のいずれかに対応するキーであるか否かを判定する。ここで、「０」〜「９」のいずれかに対応するキーが操作されたものと判定した場合には、ステップ３ｎに移行し、一方、上記以外のキーが操作されたものと判定した場合には、ステップ３ａに移行する。
【００５９】
ステップ３ｎにおいて制御部１００は、表示部３０を制御して、暗証コードの入力を行うための表示に切り替え、ステップ３ｏに移行する。なお、この表示制御では、入力される文字が「＊」などの記号を用いた表示により、入力内容が伏せて表示される。
【００６０】
ステップ３ｏにおいて制御部１００は、操作部４０を通じてキー入力を受け付け、ステップ３ｐに移行する。なお、ここで操作されたキーに対応する文字データは、記憶部６０の入力バッファに蓄積される。
【００６１】
ステップ３ｐにおいて制御部１００は、ステップ３ｏで操作されたキーが「０」〜「９」のいずれかに対応するキーであるか否かを判定する。ここで、「０」〜「９」のいずれかに対応するキーが操作されたものと判定した場合には、ステップ３ｑに移行し、一方、上記以外のキーが操作されたものと判定した場合には、ステップ３ｒに移行する。
【００６２】
ステップ３ｑにおいて制御部１００は、記憶部６０の入力バッファに蓄積される文字データの数だけ、「＊」などの記号を表示部３０に表示し、ステップ３ｏに移行する。  
ステップ３ｒにおいて制御部１００は、ステップ３ｏで操作されたキーが「確定」に対応するキーであるか否かを判定する。ここで、「確定」に対応するキーが操作されたものと判定した場合には、当該処理を終了し、図２のフローの元の処理に戻る。一方、上記「確定」以外のキーが操作されたものと判定した場合には、ステップ３ｓに移行する。
【００６３】
ステップ３ｓにおいて制御部１００は、ステップ３ｏで操作されたキーが「クリア」に対応するキーであるか否かを判定する。ここで、「クリア」に対応するキーが操作されたものと判定した場合には、ステップ３ｔに移行する。一方、上記「クリア」以外のキーが操作されたものと判定した場合には、ステップ３ｏに移行し、再入力を受け付ける。
【００６４】
ステップ３ｔにおいて制御部１００は、記憶部６０の入力バッファに蓄積される文字データのうち、最後に入力された文字データを削除し、ステップ３ｕに移行する。また制御部１００は、記憶部６０の入力バッファに蓄積される文字データに基づいて、文字の表示を表示部３０に行うため、表示部３０では、最後に表示された文字が消去されることになる。
【００６５】
ステップ３ｕにおいて制御部１００は、記憶部６０の入力バッファに蓄積される文字データがない、すなわち表示すべき文字がないか否かを判定する。ここで、表示すべき文字がない場合には、ステップ３ａに移行する。一方、表示すべき文字がある、すなわち記憶部６０の入力バッファに蓄積される文字データがある場合には、ステップ３ｏに移行して、文字入力の受付を継続する。
【００６６】
次に、図２および図３に示した処理について、図４乃至図１０を参照し、表示部３０に表示する表示例を交えて説明する。  
はじめに、図４に示すように、電源が切られた状態においては、表示部３０はステップ４ａに示すように、何も表示されていない状態にある。
【００６７】
操作部のＲＥＤキー（電源キー）を長押し（図面では以下ＬＰと示す）すると、ステップ４ｂにおいて制御部１００は、カードＩ／Ｆ５０にＳＩＭカード５１が装着されていないか、あるいは不正なＳＩＭカード５１が装着されているかを判断する。
【００６８】
ここで、カードＩ／Ｆ５０にＳＩＭカード５１が装着されていなかったり、あるいは不正なＳＩＭカード５１が装着されている場合には、ステップ４ｃに示すように、正当なＳＩＭカード５１をカードＩ／Ｆ５０に装着するように求める表示を表示部３０に行い、当該処理を終了する。一方、正当なＳＩＭカード５１がカードＩ／Ｆ５０に装着されている場合には、ステップ４ｄに移行する。
【００６９】
ステップ４ｄにおいて制御部１００は、カードＩ／Ｆ５０を通じて、ＳＩＭカード５１にアクセスし、ＳＩＭカード５１からステータス情報を取得する。その結果、ＰＵＫがロック中である旨の情報を取得した場合には、ステップ４ｅに示すように、ＰＵＫがロック中である旨の表示を表示部３０に行い、当該処理を終了する。一方、ＰＵＫが非ロック中である旨の情報を受信した場合には、ステップ４ｆに移行する。
【００７０】
ステップ４ｆにおいて制御部１００は、ステップ４ｄで取得したステータス情報を参照し、ＰＩＮがロック中であるか否かを判定する。ここで、ＰＩＮがロック中の場合には、ステップ７ａ（３−Ａ）に移行し、一方、ＰＩＮが非ロック中の場合には、ステップ４ｇに移行する。
【００７１】
ステップ４ｇにおいて制御部１００は、ステップ４ｄで取得したステータス情報を参照し、ＰＩＮが有効であるか否かを判定する。ここで、ＰＩＮが有効の場合には、ステップ６ａ（２−Ａ）に移行し、一方、ＰＩＮが無効の場合には、ステップ５ａ（１−Ａ）に移行する。
【００７２】
図５に示すように、ステップ５ａにおいて制御部１００は、カードＩ／Ｆ５０を通じて、ＳＩＭカード５１から加入者ＩＤなどの識別情報を読み出し、読み出し中である旨を表示部３０に表示する。上記読み出しが終了すると、ステップ５ｂに移行する。
【００７３】
ステップ５ｂにおいて制御部１００は、記憶部６０から待受画像（アニメーション）のデータを読み出し、表示部３０を制御して上記アニメーション画像を表示する。そして、アニメーション画像の表示が終了するか、あるいは操作部４０に対してユーザが操作を行うと、ステップ５ｃに移行する。
【００７４】
ステップ５ｃにおいて制御部１００は、記憶部６０から待受画像のデータを読み出して表示部３０の表示し、その後、通信部１０を制御して、ステップ５ａで読み出した識別情報を送信して、システムに認証を受け、ネットワークに接続する。これにより当該移動無線端末装置は、発着信が可能な状態となる。
【００７５】
一方、図６に示すように、ステップ６ａにおいて制御部１００は、表示部３０にＰＩＮコードの入力を待ち受ける表示を行い、操作部４０を通じてキー入力を受け付ける。ここで、「＊」に対応するキーが操作された場合には、ステップ９ａ（４−Ａ）に移行し、一方、「０」〜「９」のいずれかに対応するキーが操作された場合には、操作されたキーに対応する文字データを記憶部６０の入力バッファに蓄積し、ステップ６ｂに移行する。
【００７６】
ステップ６ｂにおいて制御部１００は、表示部３０に１文字分の「＊」を表示した後、操作部４０を通じて、２文字目以降の４〜８桁の入力を受け付け、ステップ６ｃに移行する。なお、ステップ６ｂにおいて、右シフトキー（ＲＳ）が操作された場合には、ステップ６ａで受け付けた文字データを記憶部６０の入力バッファから削除するとともに、「＊」の表示も消去する。
【００７７】
ステップ６ｃにおいて制御部１００は、記憶部６０の入力バッファに記憶される文字データ数分の「＊」を表示部３０に表示する。そして、右シフトキー（ＲＳ）が操作された場合には、記憶部６０の入力バッファが記憶する文字データを、右シフトキー（ＲＳ）の操作回数分だけ削除するとともに、「＊」の表示も操作回数分消去する。
【００７８】
また、右シフトキー（ＲＳ）が長押しされた場合には、記憶部６０の入力バッファが記憶する文字データをすべて削除するとともに、「＊」の表示もすべて消去する。一方、操作部４０の中心キー（ＣＰ）、左シフトキー（ＬＳ）あるいは「＃」キーのいずれかが操作された場合には、ステップ６ｄに移行する。
【００７９】
ステップ６ｄにおいて制御部１００は、カードＩ／Ｆ５０を通じてＳＩＭカード５１に、ステップ６ｃまでに受け付けたＰＩＮコードを送り、ＳＩＭカード５１にＰＩＮコードの認証を行わせる。そして制御部１００は、カードＩ／Ｆ５０を通じて認証結果を取得する。そして制御部１００は、認証結果が認証成功を示す場合には、ステップ６ｅに移行し、一方、認証失敗を示す場合には、ステップ６ｆに移行する。
【００８０】
ステップ６ｅにおいて制御部１００は、ＰＩＮ認証成功を示す表示を表示部３０に行い、１．５秒が経過するか、操作部４０の中心キー（ＣＰ）あるいは左シフトキー（ＬＳ）が操作されると、ステップ５ａ（１−Ｃ）に移行する。
【００８１】
ステップ６ｆにおいて制御部１００は、ステップ６ｄにてＳＩＭカード５１から受信した認証結果に基づいて、ＰＩＮ認証が３回失敗したか否かを判定する。ここで、ステップ６ｄにて、ＰＩＮをロックした旨を示す情報を受信した場合には、ＰＩＮ認証が３回連続失敗したものと判定して、ステップ６ｇに移行し、一方、残り連続失敗可能回数ｍを受信した場合には、まだ３回連続でＰＩＮ認証を失敗していないものと判定し、ステップ６ｈに移行する。
【００８２】
ステップ６ｇにおいて制御部１００は、ＰＩＮがロックされたことを示す表示を表示部３０に行う。その後、操作部４０の中心キー（ＣＰ）あるいは左シフトキー（ＬＳ）が操作されると、ステップ７ａ（３−Ａ）に移行する。
【００８３】
ステップ６ｈにおいて制御部１００は、入力された暗証コードが正しくないことを示す表示を表示部３０に行う。そしてその後、操作部４０の中心キー（ＣＰ）あるいは左シフトキー（ＬＳ）が操作されると、ステップ６ａに移行する。
【００８４】
図７に示すように、ステップ７ａにおいて制御部１００は、表示部３０にＰＵＫコードの入力を促す表示を行い、操作部４０を通じてキー入力を受け付ける。ここで「＊」に対応するキーが操作された場合には、「＊」を記憶部６０の入力バッファに蓄積して、ステップ９ａ（４−Ａ）に移行する。
【００８５】
一方、「０」〜「９」のいずれかに対応するキーが操作された場合には、操作されたキーに対応する文字を記憶部６０の入力バッファに蓄積し、ステップ７ｂに移行する。ステップ７ｂにおいて制御部１００は、ステップ７ａで入力された文字を、表示部３０に「＊」などの記号を用いて、入力内容を伏せた状態で表示する。
【００８６】
そして、制御部１００は、合計４〜８の文字入力を操作部４０を通じて受け付け、操作されたキーに対応する文字を記憶部６０の入力バッファに蓄積し、ステップ７ｃに移行する。
【００８７】
ステップ７ｃにおいて制御部１００は、さらにステップ７ｂで入力された文字を、表示部３０に「＊」などの記号を用いて、入力内容を伏せた状態で表示する。その後、操作部４０の中心キー（ＣＰ）、左シフトキー（ＬＳ）あるいは「＃」キーが操作されると、ステップ７ｄ（３−Ｂ）に移行する。
【００８８】
ステップ７ｄにおいて制御部１００は、表示部３０に、新しく設定するＰＩＮコードの入力を促す表示を行い、操作部４０を通じてキー入力を受け付ける。ここで「＊」に対応するキーが操作された場合には、記憶部６０の入力バッファをクリアしたのち、「＊」を記憶部６０の入力バッファに蓄積して、ステップ９ａ（４−Ａ）に移行する。
【００８９】
一方、「０」〜「９」のいずれかに対応するキーが操作された場合には、操作されたキーに対応する文字を記憶部６０の入力バッファに蓄積し、ステップ７ｅに移行する。ステップ７ｅにおいて制御部１００は、ステップ７ｄで入力された文字を、表示部３０に「＊」などの記号を用いて、入力内容を伏せた状態で表示する。
【００９０】
そして、制御部１００は、合計４〜８の文字入力を操作部４０を通じて受け付け、操作されたキーに対応する文字を記憶部６０の入力バッファに蓄積し、ステップ７ｆに移行する。
【００９１】
ステップ７ｆにおいて制御部１００は、さらにステップ７ｅで入力された文字を、表示部３０に「＊」などの記号を用いて、入力内容を伏せた状態で表示する。その後、操作部４０の中心キー（ＣＰ）、左シフトキー（ＬＳ）あるいは「＃」キーが操作されると、ステップ７ｇ（３−Ｄ）に移行する。
【００９２】
ステップ７ｇにおいて制御部１００は、表示部３０に、ステップ７ｄ〜７ｆで受け付けたＰＩＮコードを確認するためのＰＩＮコードの入力を促す表示を行い、操作部４０を通じてキー入力を受け付ける。ここで「＊」に対応するキーが操作された場合には、記憶部６０の入力バッファをクリアしたのち、「＊」を記憶部６０の入力バッファに蓄積して、ステップ９ａ（４−Ａ）に移行する。
【００９３】
一方、「０」〜「９」のいずれかに対応するキーが操作された場合には、操作されたキーに対応する文字を記憶部６０の入力バッファに蓄積し、ステップ７ｈに移行する。ステップ７ｈにおいて制御部１００は、ステップ７ｇで入力された文字を、表示部３０に「＊」などの記号を用いて、入力内容を伏せた状態で表示する。
【００９４】
そして、制御部１００は、合計４〜８の文字入力を操作部４０を通じて受け付け、操作されたキーに対応する文字を記憶部６０の入力バッファに蓄積し、ステップ７ｉに移行する。
【００９５】
ステップ７ｉにおいて制御部１００は、さらにステップ７ｈで入力された文字を、表示部３０に「＊」などの記号を用いて、入力内容を伏せた状態で表示する。その後、操作部４０の中心キー（ＣＰ）、左シフトキー（ＬＳ）あるいは「＃」キーが操作されると、ステップ８ａ（３−Ｆ）に移行する。
【００９６】
図８に示すように、ステップ８ａにおいて制御部１００は、記憶部６０の入力バッファに蓄積されている、ステップ７ｄ〜７ｆで受け付けたＰＩＮコードと、ステップ７ｇ〜７ｉで受け付けたＰＩＮコードが一致するか否かを判定する。ここで、両者が一致する場合には、ステップ８ｃに移行する。一方、両者が一致しない場合には、ステップ８ｂに移行する。
【００９７】
ステップ８ｂにおいて制御部１００は、表示部３０にＰＩＮコードが一致しない旨の表示を行う。そして制御部１００は、操作部４０の中心キー（ＣＰ）あるいは左シフトキー（ＬＳ）が操作されると、ＰＩＮコードの再入力を行うために、ステップ７ｄ（３−Ｇ）に移行する。
【００９８】
ステップ８ｃにおいて制御部１００は、カードＩ／Ｆ５０を通じてＳＩＭカード５１に、記憶部６０の入力バッファに蓄積されているステップ７ａ〜７ｃで受け付けたＰＵＫコードと新しいＰＩＮコードとを送り、ＳＩＭカード５１にＰＵＫコードの認証を行わせる。そして制御部１００は、カードＩ／Ｆ５０を通じて認証結果を取得する。そして制御部１００は、認証結果が認証成功を示す場合には、ステップ８ｄに移行し、一方、認証失敗を示す場合には、ステップ８ｅに移行する。
【００９９】
ステップ８ｄにおいて制御部１００は、表示部３０を制御して、新しいＰＩＮコードの設定が完了した旨を表示し、１．５秒が経過するか、操作部４０の中心キー（ＣＰ）あるいは左シフトキー（ＬＳ）が操作されると、ステップ５ａ（１−Ｃ）に移行する。
【０１００】
一方、ステップ８ｅにおいて制御部１００は、表示部３０を制御して、入力されたＰＵＫコードが正しくない旨を表示する。そして、操作部４０の中心キー（ＣＰ）あるいは左シフトキー（ＬＳ）が操作されると、ステップ８ｆに移行する。
【０１０１】
ステップ８ｆにおいて制御部１００は、ステップ８ｃにてＳＩＭカード５１から受信した認証結果に基づいて、ＰＵＫ認証が１０回失敗したか否かを判定する。ここで、ステップ８ｃにて、ＰＵＫをロックした旨を示す情報を受信した場合には、ＰＵＫ認証が１０回連続失敗したものと判定して、ステップ８ｇに移行し、一方、残り連続失敗可能回数ｎを受信した場合には、まだ１０回連続でＰＵＫ認証を失敗していないものと判定し、ステップ７ａ（３−Ｈ）に移行して、ＰＵＫコードの再入力を受け付ける。  
ステップ８ｇにおいて制御部１００は、表示部３０を制御して、ＰＵＫがロック中であることを示す警告表示を行って、当該処理を終了する。
【０１０２】
図９に示すように、ステップ９ａにおいて制御部１００は、表示部３０にダイヤル入力画面で入力された文字「＊」を表示する。そして、操作部４０の右シフトキー（ＲＳ）が操作されると、ステップ９ｂに移行し、操作部４０の「＊」、あるいは「０」〜「９」のいずれかに対応するキーが操作されると、ステップ９ｃに移行する。なお、ここで、操作部４０の「＃」に対応するキーが操作された場合には、ステップ９ｄに移行する。
【０１０３】
ステップ９ｂにおいて制御部１００は、「＊」が入力される以前の画面に戻る旨を表示部３０に表示し、「＊」が入力される以前の画面に戻る（２−Ｂ、３−Ｉ、３−Ｊあるいは３−Ｋ）。
【０１０４】
一方、ステップ９ｃにおいて制御部１００は、入力された文字を記憶部６０の入力バッファに蓄積するとともに、この蓄積した文字を表示部３０に表示する。ここで、操作部４０の「＃」に対応するキーが操作された場合には、ステップ９ｄに移行する。一方、操作部４０の右シフトキー（ＲＳ）が操作された場合には、記憶部６０の入力バッファが記憶する文字データを、右シフトキー（ＲＳ）の操作回数分だけ削除し、ステップ９ａに移行する。またここで、操作部４０の「＊」、あるいは「０」〜「９」のいずれかに対応するキーが操作された場合には、対応するキーの文字データを記憶部６０の入力バッファに記憶し、次の文字入力を待機する。
【０１０５】
ステップ９ｄにおいて制御部１００は、記憶部６０の入力バッファに蓄積される文字データが形成する文字列が、ＵＳＳＤコマンドの形態を成しているか否かを判定する。ここで、ＵＳＳＤコマンドの形態を成していると判定した場合には、ステップ９ｅに移行し、一方、ＵＳＳＤコマンドの形態を成していないと判定した場合には、ステップ９ｃに移行する。
【０１０６】
ステップ９ｅにおいて制御部１００は、カードＩ／Ｆ５０を通じてＳＩＭカード５１からにＰＩＮがロックされた状態にあるか否かを示す情報を取得して、ＰＩＮがロックされた状態にあるか否か判断するとともに、ステップ９ａおよび９ｂで入力されたＵＳＳＤコマンドがＰＩＮロックを解除するコマンドであるかを判断する。
【０１０７】
ここで、ＰＩＮがロックされた状態にあり、かつ上記ＵＳＳＤコマンドがＰＩＮロックを解除するコマンドである場合には、ステップ１０ａ（４−Ｂ）に移行し、一方、そうでない場合には、ステップ９ｆに移行する。
【０１０８】
ステップ９ｆにおいて制御部１００は、上記ＵＳＳＤコマンドを実行し、ステップ９ｇに移行する。ステップ９ｇにおいて制御部１００は、上記ＵＳＳＤコマンドの実行が終了したら、表示部３０に表示する画像を、上記ＵＳＳＤコマンドを実行する前に状態に戻る（２−Ｂ、３−Ｉ、３−Ｊあるいは３−Ｋ）。
【０１０９】
図１０に示すように、ステップ１０ａにおいて制御部１００は、記憶部６０の入力バッファに蓄積されている、ステップ７ｄ〜７ｆで受け付けたＰＩＮコードと、ステップ７ｇ〜７ｉで受け付けたＰＩＮコードが一致するか否かを判定する。ここで、両者が一致する場合には、ステップ１０ｃに移行する。一方、両者が一致しない場合には、ステップ１０ｂに移行する。
【０１１０】
ステップ１０ｂにおいて制御部１００は、表示部３０にＰＩＮコードが一致しない旨の表示を行う。そして制御部１００は、操作部４０の中心キー（ＣＰ）あるいは左シフトキー（ＬＳ）が操作されると、ＰＩＮコードの再入力を行うために、ステップ９ｇ（４−C）に移行する。
【０１１１】
ステップ１０ｃにおいて制御部１００は、カードＩ／Ｆ５０を通じてＳＩＭカード５１に、記憶部６０の入力バッファに蓄積されているステップ７ａ〜７ｃで受け付けたＰＵＫコードとステップ７ｅ〜７ｇで受け付けた新しいＰＩＮコードとを送り、ＳＩＭカード５１にＰＵＫコードの認証を行わせる。そして制御部１００は、カードＩ／Ｆ５０を通じて認証結果を取得する。そして制御部１００は、認証結果が認証成功を示す場合には、ステップ１０ｄに移行し、一方、認証失敗を示す場合には、ステップ１０ｅに移行する。
【０１１２】
ステップ１０ｄにおいて制御部１００は、表示部３０を制御して、新しいＰＩＮコードの設定が完了した旨を表示し、１．５秒が経過するか、操作部４０の中心キー（ＣＰ）あるいは左シフトキー（ＬＳ）が操作されると、ステップ５ａ（１−Ｃ）に移行する。
【０１１３】
一方、ステップ１０ｅにおいて制御部１００は、表示部３０を制御して、入力されたＰＵＫコードが正しくない旨を表示する。そして、操作部４０の中心キー（ＣＰ）あるいは左シフトキー（ＬＳ）が操作されると、ステップ１０ｆに移行する。
【０１１４】
ステップ１０ｆにおいて制御部１００は、ステップ１０ｃにてＳＩＭカード５１から受信した認証結果に基づいて、ＰＵＫ認証が１０回失敗したか否かを判定する。ここで、ステップ１０ｃにて、ＰＵＫをロックした旨を示す情報を受信した場合には、ＰＵＫ認証が１０回連続失敗したものと判定して、ステップ１０ｇに移行し、一方、残り連続失敗可能回数ｎを受信した場合には、まだ１０回連続でＰＵＫ認証を失敗していないものと判定し、ステップ９ｇ（４−Ｃ）に移行する。  
ステップ１０ｇにおいて制御部１００は、表示部３０を制御して、ＰＵＫがロック中であることを示す警告表示を行って、当該処理を終了する。
【０１１５】
以上のように、上記構成の移動無線端末装置では、暗証コードを入力する際に、暗証コードが入力されると、入力された文字を伏せ字で表示するようにする。一方、暗証コードの入力で用いられない（ＵＳＳＤコマンドの入力で用いられる）特定の文字「＊」が入力された場合には、ＵＳＳＤコマンドが入力されるものと判定して、入力される文字を判読可能なように表示するようにしている。
【０１１６】
したがって、上記構成の移動無線端末装置によれば、暗証情報の入力を受け付ける状態において、ＵＳＳＤコマンドを受け付けた場合には、それをユーザが視認できので利便性が高い。
【０１１７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【０１１８】
その一例として例えば、上記実施の形態では、暗証コードを入力する必要がある状況においては、発信ができないものとして説明したが、警察や消防などの予め設定した緊急特番については、暗証コードの入力がなくても制御部１００が発信要求を受け付けて、通信部１０や音声処理部２０を制御して、発信するようにしてもよい。
【０１１９】
また上記実施の形態では、音声通信を行う構成のみを示したが、映像を伴う音声通信（ＴＶ電話）や、ｗｅｂ閲覧やメールの送受信などデータ通信を行う移動無線端末装置に適用することも可能である。
【０１２０】
そして上記実施の形態では、起動時における暗証コードの入力時を例に挙げて説明したが、ｗｅｂを閲覧するなどのデータ通信中に、暗証コードを入力するような状況においても適用することができる。
【０１２１】
また上記実施の形態では、入力された暗証コードは、伏せ字で表示するようにしたが、これに代わって例えば、表示自体を行わない（非表示）ようにしてもよい。また用いる伏せ字は、複数の文字が入力された場合でも、一様の文字で表示するものとしたが、入力された複数の文字をそれぞれ異なる伏せ字や、ランダムな文字で表示するようにしてもよい。  
その他、この発明の要旨を逸脱しない範囲で種々の変形を施しても同様に実施可能であることはいうまでもない。
【図面の簡単な説明】
【０１２２】
【図１】この発明に係わる移動無線端末装置の一実施形態の構成を示す回路ブロック図。
【図２】図１に示した移動無線端末装置の電源投入時に開始される処理を説明するためのフローチャート。
【図３】図１に示した移動無線端末装置のＰＩＮコードなどの暗証コードを入力する際の処理を説明するためのフローチャート。
【図４】従来の移動無線端末装置の構成を示す回路ブロック図。
【図５】図１に示した移動無線端末装置の動作を表示画面の遷移と合わせて説明するフローチャート。
【図６】図１に示した移動無線端末装置の動作を表示画面の遷移と合わせて説明するフローチャート。
【図７】図１に示した移動無線端末装置の動作を表示画面の遷移と合わせて説明するフローチャート。
【図８】図１に示した移動無線端末装置の動作を表示画面の遷移と合わせて説明するフローチャート。
【図９】図１に示した移動無線端末装置の動作を表示画面の遷移と合わせて説明するフローチャート。
【図１０】図１に示した移動無線端末装置の動作を表示画面の遷移と合わせて説明するフローチャート。
【符号の説明】
【０１２３】
１…アンテナ、１０…通信部、２０…音声処理部、２１…スピーカ、２２…マイクロホン、３０…表示部、４０…操作部、５０…カードインターフェース、５１…ＳＩＭカード、６０…記憶部、１００…制御部。
【図１】
2006318391.tif 000003
【図２】
2006318391.tif 000004
【図３】
2006318391.tif 000005
【図４】
2006318391.tif 000006
【図５】
2006318391.tif 000007
【図６】
2006318391.tif 000008
【図７】
2006318391.tif 000009
【図８】
2006318391.tif 000010
【図９】
2006318391.tif 000011
【図１０】
2006318391.tif 000012